(57)【要約】【課題】各画像ファイルに属する画像の画像ファイル間での異同判別処理を利用して判別結果に関連する表示等の処理を効率的に進める。【解決手段】画像処理装置１は、外部から操作して、表示部３０に表示中の、各画像ファイルの画像から対比対象となる画像を選定する操作部４０と、選定された画像間の異同の有無を検査する相関演算部１２と、異同に応じて各画像に対して同期して異同を表すフレーム枠の表示処理を実行させるフレーム枠制御部１３及び表示制御部１１とを備える。【選択図】図１
2016122333.tif 000002
【特許請求の範囲】
【請求項１】
複数の画像ファイルのそれぞれから画像データを所定枚ずつ表示部に表示する表示制御手段を備えた画像処理装置において、
外部から操作して、前記表示部に表示中の、各画像ファイルの画像から対比対象となる画像を選定する操作部と、
選定された画像間の異同の有無を検査する検査手段と、
少なくとも同一の画像に対して同期して所定の処理を実行させる同期処理実行手段とを備えた画像処理装置。
【請求項２】
前記表示制御手段は、前記画像をサムネイル画像に変換して前記表示部に表示するサムネイル画像作成手段を備えることを特徴とする請求項１に記載の画像処理装置。
【請求項３】
前記表示制御手段は、各画像を画像ファイル毎に対応付けて表示し、前記操作部は、対応付けて表示された画像の単位で対比対象を選定することを特徴とする請求項１又は２に記載の画像処理装置。
【請求項４】
前記操作部は、対応付けて表示された画像の単位で対比対象を順次選定するもので、前記検査手段は、前記対応付けて表示された画像のうち、直前の検査で一致することとなった画像が属する画像ファイルの画像を検査対象の画像とすることを特徴とする請求項１〜３のいずれかに記載の画像処理装置。
【請求項５】
前記同期処理実行手段は、一致する画像に対応して特定の表記を行うことを特徴とする請求項１〜４のいずれかに記載の画像処理装置。
【請求項６】
前記同期処理実行手段は、前記特定の表記として前記一致する画像のそれぞれを囲むように枠画像を表示することを特徴とする請求項１〜５のいずれかに記載の画像処理装置。
【請求項７】
前記同期処理実行手段は、不一致の画像に前記特定の表記とは異なる表記を行うことを特徴とする請求項１〜６のいずれかに記載の画像処理装置。
【請求項８】
前記検査手段は、前記操作部からの指示を受けて、前記異同の有無を検査する判断基準を変更することを特徴とする請求項１〜７のいずれかに記載の画像処理装置。
【発明の詳細な説明】
【技術分野】
【０００１】
本発明は、プリントやファクシミリ通信等の複合機能を有する画像形成装置、タブレット端末及び電子黒板等の画像が表示可能な表示部を備えた画像処理装置に係り、主に各画像ファイルに属する画像の表示に関して所定の処理を実行する画像処理装置に関する。
【背景技術】
【０００２】
例えば、複数部準備した送信データを異なる送信先に送信するような場合に、カバーページが添付された状態の送信内容を事前に確認するプレビュー技術が知られている。特許文献１には、送信データをプレビューする画面図が示されており、送信先毎に個別にカバーページと送信データの両方をプレビューする形式の他に、全て（実施例では３カ所）の送信先のカバーページと送信データの両方を連続させた状態で、行単位で一覧にしてプレビューする形式が示されている。このように全ての送信先についての内容を対応しやすいように一覧表示すれば、送信先毎の送信データの事前チェックが容易となる。
【先行技術文献】
【特許文献】
【０００３】
【特許文献１】特開２００３−３２４０４号公報
【発明の概要】
【発明が解決しようとする課題】
【０００４】
特許文献１に例示されている場合のように、送信データが３頁程度と少ない場合には、送信先間の送信データの異同を目視で容易に判断することはできるものの、頁数が増えて、その結果各頁の画像が縮小して一覧表示されると、目視による異同判断は容易ではなくなる。また、各画像ファイルに属する画像データを表示部に順次表示するなどし、それらの間の異同を見比べながら画像をめくっていくなどの操作を行う場合に、それぞれの画像に対していちいち操作指示することは煩雑となり、効率的とはいい難い場合がある。
【０００５】
本発明は、前記課題に鑑みてなされたもので、各画像ファイルに属する画像の画像ファイル間での異同判別処理を利用して判別結果に関連する表示等の処理を効率的に進めることが可能な画像処理装置を提供することを目的とする。
【課題を解決するための手段】
【０００６】
本発明は、複数の画像ファイルのそれぞれから画像データを所定枚ずつ表示部に表示する表示制御手段を備えた画像処理装置において、外部から操作して、前記表示部に表示中の、各画像ファイルの画像から対比対象となる画像を選定する操作部と、選定された画像間の異同の有無を検査する検査手段と、少なくとも同一の画像に対して同期して所定の処理を実行させる同期処理実行手段とを備えたものである。
【０００７】
本発明によれば、表示部の画面に、複数の画像ファイルのそれぞれから画像が１枚ずつ、あるいは所定の複数枚ずつ表示される。そして、操作部によって、表示部に表示中の、各画像ファイルの画像から異同（必用に応じて類否を含む）の対比対象となる画像が、例えばフォーカス位置として選定されると、検査手段によって、選定された画像間の異同の有無が、例えば相関演算を実行するなどして検査される。そして、同期処理実行手段によって、同一の画像に対して同期して所定の処理が実行させる。同期して実行される所定の処理とは、異同を示す表記が各画像に関連して同期して表示されたり、同一を示す表記が同一画像に対して同期して表示されたり、また、操作部への１回の操作で、次のフォーカス位置への移動（いわゆる、めくり）が指示できたり、また、同一と判断された画像に対して連動して次のフォーカス位置へ移動が指示できたりする処理である。また、同一と判断された画像の１つに対して、例えば色補正のような画像処理乃至は加工を施した場合に、当該処理や加工の内容が、同一と判断された他の画像にも反映されるようにしてもよい。以上のように、各画像ファイルに属する画像の画像ファイル間での異同判別処理を利用して判別結果に関連する、表示等の処理が効率的に進められる。
【０００８】
また、前記表示制御手段は、前記画像をサムネイル画像に変換して前記表示部に表示するサムネイル画像作成手段を備えることを特徴とする。この構成によれば、より多くの画像を一覧で表示することが可能となる。
【０００９】
また、前記表示制御手段は、各画像を画像ファイル毎に対応付けて表示し、前記操作部は、対応付けて表示された画像の単位で対比対象を選定することを特徴とする。この構成によれば、対比対象画像の視認が容易となる。
【００１０】
また、前記操作部は、対応付けて表示された画像の単位で対比対象を順次選定するもので、前記検査手段は、前記対応付けて表示された画像のうち、直前の検査で一致することとなった画像が属する画像ファイルの画像を検査対象の画像とすることを特徴とする。この構成によれば、操作部による対比対象画像の順次選定が一致した画像毎に行えるので、操作が容易となる。
【００１１】
また、前記同期処理実行手段によって、一致する画像に対応して特定の表記を行うようにしたので、異同の視認が容易となる。
【００１２】
また、前記同期処理実行手段によって、特定の表記として前記一致する画像のそれぞれを囲むように枠画像を表示するようにしたので、画像に直接影響を与えないように異同の報知が可能となる。
【００１３】
また、前記同期処理実行手段によって、不一致の画像に前記特定の表記とは異なる表記を行うようにしたので、不一致画像の視認が容易となる。
【００１４】
また、前記検査手段によって、前記操作部からの指示を受けて、前記異同の有無を検査する判断基準を変更するようにしたので、適用対象乃至は必要に応じて適切な異同検査が可能となる。
【発明の効果】
【００１５】
本発明によれば、各画像ファイルに属する画像の画像ファイル間での異同判別処理を利用して判別結果に関連する表示等の処理を効率的に進めることができる。
【図面の簡単な説明】
【００１６】
【図１】本発明の第１実施形態に係る画像処理装置のブロック図である。
【図２】第１実施形態に係る表示処理を説明する画面図である。
【図３】本発明の第２実施形態に係る画像処理装置のブロック図である。
【図４】第２施形態に係る表示処理を説明する画面図である。
【図５】第２実施形態に係る表示処理を説明する画面図である。
【図６】本発明の第３実施形態に係る画像処理装置のブロック図である。
【図７】第３実施形態に係る表示処理を説明する画面図である。
【図８】第１実施形態に係る画像処理装置のプレビュー処理のフローチャートである。
【図９】第２実施形態に係る画像処理装置の表示処理のフローチャートである。
【図１０】第３実施形態に係る画像処理装置の表示処理のフローチャートである。
【図１１】第４実施形態に係る表示処理を説明する画面図である。
【発明を実施するための形態】
【００１７】
（第１実施形態）
図１に示す第１実施形態に係る画像処理装置１は、送信先毎の送信データのプレビュー処理を可能にする装置で、制御部１０、記憶部２０、表示部３０、操作部４０及び通信部５０を備えている。制御部１０は、マイクロコンピュータで構成され、ＣＰＵを有する。記憶部２０は、表示部３０に表示される画像等のデータを記憶するもので、後述するように機能的に複数のメモリ部を有している。表示部３０は、画像を表示するもので、所定サイズの画面３１を有する。操作部４０は、外部から情報を入力したり、コマンド指示を行ったりするもので、キーボードやマウスなど、あるいはタッチパネルで構成されている。タッチパネルの場合、表示部３０の画面３１に重畳して配置されたパネル状の感圧素子で構成され、押下（タッチ）位置を座標情報として出力する。表示部３０は、図略のビデオＲＡＭに、記憶部２０から更新的に書き込まれるデータが所定周期で読み出されることによって画像の表示が行われる。通信部５０は、外部とのデータ通信を行う、例えばパソコン通信の回線やファクシミリ回線に対する接断処理や通信処理を行うものである。
【００１８】
記憶部２０は、送受信又は同報通信するための送信データを格納するメモリ部を備えている。同報通信とは同一内容を複数の送信先に、通信部５０によって同時的に送信することをいう。図１の例では、記憶部２０として、送信内容である送信データｎ、送信先を表したカバーページＡ（宛先Ａ）、カバーページＢ（宛先Ｂ）、カバーページＣ（宛先Ｃ）をそれぞれ記憶するメモリ部を有する。なお、送信データｎは、ここでは、宛先Ａ，Ｂ，Ｃの３部が準備されている。プレビューではこの３部についての異同も検査対象とされる。また、記憶部２０は、種々の用途のためのメモリ部を有するもので、ここでは、データ送信のための、予め登録された、あるいは操作部４０を介して入力乃至は取得される宛先情報を記憶するメモリ部を有する。
【００１９】
図２（ａ）は、表示部３０の画面３１への表示例を示す図で、各行に宛先Ａ、Ｂ、Ｃが割り当てられ、所定頁数分の画像が一覧表示されている。一覧表示、あるいは表示する頁数が多い場合には、各頁の画像は、記憶部２０から読み出され、サムネイル画像に変換されて表示される。１行目に、先頭の１列目から順番にカバーページＡの画像Ｃａ１、送信データの画像Ｓ１，Ｓ２，Ｓ３が配列して表示されている。２行目には、先頭の１列目から順番にカバーページＢの画像Ｃｂ１，Ｃｂ２、送信データの画像Ｓ１，Ｓ２が配列して表示されている。なお、宛先Ｂに送信される送信データの最後の画像Ｓ３は次画面にあり、見えていない。３行目には、先頭の１列目から順番にカバーページＣの画像Ｃｃ１、送信データの画像Ｓ１，Ｓ２，Ｓ３が配列して表示されている。なお、行毎の複数の画像は同一宛先毎の画像であることから、行毎に画像ファイルとして見なすことができる。
【００２０】
図１に戻って、制御部１０は、処理プログラムが実行されることによって、表示制御部１１、相関演算部１２及びフレーム枠制御部１３として機能する。表示制御部１１は、第１実施形態においては、操作部４０からの指示を受けるなどしてデータ送信に先立ってプレビュー表示を行わせる処理を実行する。
【００２１】
表示制御部１１は、カバーページＡ，Ｂ，Ｃ及び送信データｎに対して予め画面３１上での表示位置（行列）を設定し、当該位置に各画像を対応付けて表示するようにしている。表示制御部１１は、タッチパネルを採用する態様では、図２（ａ）に示すように画面３１の適所に左右方向キー５１，５２（ボタン）を表示させ、左右方向キー５１，５２のいずれかがタッチされた場合、相関演算部１２に対して、後述する処理を指示する。また、表示制御部１１は、フレーム枠制御部１３からの指示を受けて表示中の画像に関連して所定のフレーム枠（図２（ａ）、（ｂ）参照）の表示を行う。
【００２２】
相関演算部１２は、第１実施形態では、画像ファイル間の、すなわち宛先毎の画像の内、所定の対応関係にある、例えば同一列に表示されている画像の異同を検査する。なお、画像の異同検査は、記憶部２０の各メモリ部に記憶されている対応する画像データを用いて行われる。
【００２３】
相関演算の手法は、一例として相関検査対象となる２つの画像に対して、それらの画像を構成する対応するビット位置のデータの異同（主に濃度データやカラーデータ）を照合し、一致あるいは不一致のビット数あるいは比率を求めて、２つの画像の異同を判断するものである。相関演算手法として他の公知の方法を採用してもよい。対比データの一致、不一致の差分の幅を調整、あるいは一致数乃至は一致比率を調整、すなわち判断基準を調整することで、異同すなわち一致の度合い、類似の度合いを調整することができる。判断基準の変更は、操作部４０を介して相関演算部１２の基準値を変更設定することで可能としてもよい。例えば、予め複数の基準が記憶部２０に準備されていて、その中から適宜に選択する方法であってもよい。
【００２４】
フレーム枠制御部１３は、相関演算部１２による相関検査結果に基づいて対比対象の画像に対して異同を示す所定の画像、例えばフレーム枠を設定し、表示制御部１１に表示の指示を行う。異同を示すフレーム枠の画像は予め複数種類が準備され、記憶部２０の適所に予め格納されている。フレーム枠制御部１３は、対比対象となった各画像に検査結果に基づくフレーム枠の画像を対応付けて検査結果情報として表示制御部１１に出力する。
【００２５】
対比対象画像の異同検査とフレーム枠の表示に関して、図２の表示例を用いて説明する。図２では、宛先Ａ、Ｂ，Ｃの各画像に対して列単位で異同が検査される。異同検査は、各宛先の送信データは元データとして同一であるはずであるが、何らかの操作ミスその他によって他の画像とあるいは順番が入れ替わったり、また元データのコピー時に宛先Ａ，Ｂ，Ｃの画像間で例えば濃度等に差が発生したりした場合を想定して行う。
【００２６】
図２（ａ）で、左方向キー５１が操作されるなどして、１列目が選択されると、１列目がフォーカス位置とされ、この列の画像であるカバーページＣａ１，Ｃｂ１，Ｃｃ１の異同が検査され、全て異なるので、それぞれ異なるカーソル枠の画像６０１，６０２，６０３が対応して、ここでは画像を囲む形で表示される。１回の操作で対比対象の全てが選定され、また、異同結果が同期して表示される。
【００２７】
図２（ｂ）では、右方向キー５２が操作されて２列目がフォーカス位置とされて、その列の画像について異同検査が行われた場合を示している。１行目と３行目とが同一画像であったとして、同一のフレーム枠の画像６１１が同期して対応表示され、２行目は異なるとして、他のフレーム枠の画像６１２が対応して表示されている。なお、同一画像に付されるフレーム枠の画像は、統一して使用することが、誤認防止の点から好ましく、ここでは実線の枠として表現している。また、カーソル枠の画像の種類として、一致と不一致の２種類としてもよい。さらに、少なくとも一致した画像に対してカーソル枠の画像を表示するようにしてもよい。
【００２８】
次に、右方向キー５２が操作されたとすると、３列目がフォーカス位置とされて、その列の画像に対して異同が検査される。このようにすることで１回の動作の度に各列について画像の異同状況を確認することができる。なお、例えば、図２（ｂ）において、１行目と３行目とが同一の送信データの画像Ｓ１として一致する一方、宛先Ｂについては、３列目に同一の送信データの画像Ｓ１があることから、この宛先Ｂの画像Ｓ１も同一画像として提示することが好ましい場合がある。そこで、変形例として、相関演算部１３は、同じ列内で不一致となった行に対しては、当該行内の全ての列の画像を検査対象に含めるようにしてもよい。このようにすれば、図２（ｂ）において画像Ｓ１が各行に存在することが確実に判ることとなる。なお、フレーム枠の種類として、その太さ、色、輝度、点滅等を利用して差異を出してもよく、また画面上で異同（類否）が視認可能なマークであれば、フレーム枠以外の表示態様を採用してもよい。
【００２９】
図８に示すフローチャートを用いて制御部１０によるプレビュー処理を説明する。前提として、送信予定のデータが送信データｎのメモリ部に準備され、この状態で、操作部４０からの操作に応じて送信先の選択が行われる（ステップＳ１）。次いで、送信先毎の送信データについて表示可能な枚数の画像が、例えば図２（ａ）に示すように、表示部３０の画面３１に表示される（ステップＳ３）。続いて、送信先毎のフォーカス位置の画像について、類似性（同一画像か）の検査が行われる（ステップＳ５）。そして、対比した画像中に同一の画像がなければ（ステップＳ７でＮｏ）、この列の各画像にそれぞれ異なるフレーム枠の表示が指示される（ステップＳ９）。あるいはフレーム枠の表示を行わない指示でもよい。
【００３０】
一方、同一の画像があれば、同一の画像については所定の同一フレーム枠の表示の指示が行われ、かつ異なる画像には個々に異なるフレーム枠の表示の指示が行われる（ステップＳ１１）。次いで、フォーカス位置の変更の指示の有無が判断され（ステップＳ１３）、変更指示があれば、ステップＳ３に戻り、変更指示がなければ、プレビュー処理を終了する。
【００３１】
（第２実施形態）
図３に示す第２実施形態に係る画像処理装置１Ａは、各画像ファイルの画像を画像ファイル間で異同検査することを可能にする装置で、図１に対応する構成として、制御部１１０、記憶部１２０、表示部３０及び操作部４０を備えている。記憶部１２０は、表示部３０に表示される画像等のデータを記憶するもので、機能的に複数のメモリ部、すなわち画像ファイル毎に、画像データＡ，Ｂ，Ｃ，ｎを記憶する各メモリ部を有している。
【００３２】
図４（ａ）は、表示部３０の画面３１への表示例を示す図で、画像ファイル毎に各行が割り当てられ、列方向に所定枚数分の画像が一覧表示されている。一覧表示、あるいは表示枚数が多い場合には、各画像はサムネイル画像に変換されて表示されている。ここでは、４種類の画像ファイルの画像が一覧表示されている。図４（ｂ）は、図４（ａ）の画面に対して、タッチパネルを利用して、対比希望する画像ファイルの行へのタッチ操作及び決定ボタン５３へのタッチ操作を経て、選択された画面である。図４（ｂ）では、画像ファイルＡ，Ｂ，Ｃが選択されている。
【００３３】
図３に戻って、制御部１１０は、処理プログラムが実行されることによって、表示制御部１１１、相関演算部１１２、及びフレーム枠制御部１１３として機能する。表示制御部１１１及びフレーム枠制御部１１３は、表示制御部１１及びフレーム枠制御部１３と同様の処理を行う。
【００３４】
相関演算部１１２は、画像ファイル間の画像の内、所定の対応関係にある、例えば同一列に表示されている画像の異同を、第１実施形態と同様な相関演算手法を用いて検査する。また、第２実施形態では、相関演算部１１２は、同一列に位置する画像間の異同検査に際し、直前に実施された異同検査の結果に基づいて、後述するように異同判断を行う対比対象画像の設定を行う。
【００３５】
対比対象画像の異同検査とフレーム枠の表示に関して、図５の表示例を用いて説明する。図５には、説明の便宜上、図４（ｂ）と同一の画像を表示した画面３１を示している。図５では、画像ファイル毎に列単位で異同が検査される。異同検査は、例えば会議用資料であって、ある画像ファイルには例えば一部修正や差し替え分が含まれたり、また元データとなる画像ファイルのコピー時に例えば濃度や色等に差が発生したりした場合を想定して行う。
【００３６】
図５（ａ）で、左方向キー５１が操作されるなどして、１列目が選択されると、１列目がフォーカス位置とされ、この列の画像である画像Ａ１，Ｂ１，Ｃ１の異同が検査され、一致した画像Ｂ１，Ｃ１に一致を表すカーソル枠の画像６１１が表示される。
【００３７】
図５（ｂ）では、右方向キー５２が操作されて２列目がフォーカス位置とされて、画像の異同検査が行われた場合を示している。図５（ｂ）では、その直前の（すなわち図５（ａ）に示す）１列目における画像の異同結果が、画像Ｂ１，Ｃ１のみ一致であったため、画像ファイルＢ，Ｃについてのみフォーカス位置とされ、画像Ｂ２，Ｃ２について異同の検査が行われている。そして、画像Ｂ２，Ｃ２が一致したとして、画像Ｂ２，Ｃ２に一致を表すカーソル枠の画像６１１が表示されている。画像Ａ２は、２列目において対比検査の対象外とされる。このように、直前に一致関係にあった行に関しては、各行をそれぞれ指示することなく、１回の右方向キー５２へのタッチ操作のみで２列目の異同検査を実行させることが可能となり、操作性が向上する。なお、２列目において、画像Ａ２を対比対象に含めようとする場合、例えば、１行目へのタッチ操作と右方向キー５２へのタッチ操作とを経ることで可能となるようにしてもよい。
【００３８】
図９に示すフローチャートを用いて制御部１１０による表示処理を説明する。前提として、対比対象となる画像ファイル、例えば画像ファイルＡ，Ｂ，Ｃが選択され（ステップＳ２１）、表示可能な枚数の画像が、図４（ｂ）のように行毎に表示される（ステップＳ２３）。次いで、表示されている画像ファイル毎のフォーカス位置、例えば、まず１列目の画像について異同、ここでは類似性の検査が行われる（ステップＳ２５）。そして、対比した画像中に類似性のある画像がなければ（ステップＳ２７でＮｏ）、ステップＳ３１に進み、指示がなければ本フローを終了する。
【００３９】
一方、類似性のある画像があれば、類似性のある画像に対して所定の同一フレーム枠の表示の指示が行われる（ステップＳ２９）。次いで、フォーカス位置の変更の指示の有無が判断され（ステップＳ３１）、変更指示がなければ、本フローを終了する。
【００４０】
一方、ステップＳ３１で、フォーカス位置の変更指示があると、ステップＳ２３を経由して各画像の表示が行われ、次いで、フォーカス位置の画像、例えば、今回２列目がフォーカス位置として指示された場合（図５（ｂ）参照）、この２列目の画像について、直前の対比検査で（図５（ａ）参照）、類似性ありとの検査結果が得られた行の画像について類似性の検査が行われる（ステップＳ２５）。
【００４１】
（第３実施形態）
図６に示す第３実施形態に係る画像処理装置１Ｂは、各画像ファイルの画像を画像ファイル間で異同検査することを可能にする装置で、図３に対応する構成として、制御部２１０、記憶部２２０、表示部３０及び操作部４０を備えている。記憶部２２０は、本実施形態において表示部３０に表示される画像等のデータを記憶するもので、機能的に複数のメモリ部、すなわち画像ファイル毎に、画像データＤ，Ｅ，Ｆ，ｎを記憶する各メモリ部を有している。
【００４２】
図７（ａ）は、表示部３０の画面３１への表示例を示す図で、複数種類、例えば３種類の画像ファイルＤ，Ｅ，Ｆの各画像Ｄ１，Ｅ１，Ｆ１が１枚ずつ対応して所定の位置に割り当てられて表示されている。この例でも、各画像は好ましくはサムネイル画像に変換されて表示されている。画面３１の適所には左右方向キー５１，５２が設けられている。
【００４３】
図６に戻って、制御部２１０は、処理プログラムが実行されることによって、表示制御部２１１及び相関演算部２１２として機能する。表示制御部２１１は表示制御部１１１と同様の処理を行う。
【００４４】
相関演算部２１２は、画面３１に表示されている画像の内、所定の関係にある画像の異同を、第１実施形態と同様な相関演算手法を用いて検査する。また、第３実施形態では、相関演算部２１２は、直前に実施された異同検査の結果に基づいて、後述するように対象画像の表示処理を行う。
【００４５】
対比対象画像の異同検査とフレーム枠の表示に関して、図７を用いて説明する。図７（ａ）において、画像Ｄ１，Ｅ１，Ｆ１の異同が判断され、画像Ｅ１，Ｆ１が一致しているとするとき、ここで右方向キー５２へのタッチ操作が行われると、画面３１は、図７（ｂ）に示すように、画像ファイルＥ，Ｆの画像Ｅ１，Ｆ１の双方が同期して次頁の画像Ｅ２，Ｆ３に切り替わって表示される。また、図７（ｂ）の状態で、異同検査が行われると、画像Ｅ２，Ｆ２が一致することとなる。なお、図７（ｂ）において、画像ファイルＤの画像Ｄ１を次頁等の隣の頁に変更する場合には、画像Ｄ１へのタッチ操作と右方向キー５２へのタッチ操作とを経て画像Ｄ２に変更できるようにし、２頁目をフォーカス位置として対比検査を可能にしてもよい。異同検査は、第２実施形態の場合と同様、また取得した複数の画像ファイルのうち、画像ファイル間の、あるいはある１つ画像ファイルとの異同を検査し、また閲覧や検索を行う場合等を想定して行う。
【００４６】
図１０に示すフローチャートを用いて制御部２１０による表示処理を説明する。前提として、対比対象となる画像ファイル、例えば画像ファイルＤ，Ｅ，Ｆが選択され（ステップＳ４１）、各頁の画像が１頁分ずつ、図７（ａ）のように表示される（ステップＳ４３）。次いで、例えば１頁目が表示されているとして、この１頁目がフォーカス位置とされて、画像Ｄ１，Ｅ１，Ｆ１について異同、すなわちここでは類似性の検査が行われる（ステップＳ４５）。そして、対比した画像中に類似性の有無が判断され（ステップＳ４７）、類似性がなければステップＳ４３に戻る。
【００４７】
一方、類似性があれば、左右方向キー５１，５２のいずれかを介してのフォーカス位置の変更指示を受けて（ステップＳ４９）、類似性のある画像の画像ファイルについて画像を連動して次頁の（あるいは前頁の）画像に切替える指示が行われる（ステップＳ５１）。なお、フォーカス位置の変更指示がなければ、本フローを終了する。このように、類似性のある画像の画像ファイルについて１回の操作で複数の画像のフォーカス位置への切替え指示が可能となるので、操作性が向上する。
【００４８】
（第４実施形態）
図１１は、類似性の検査範囲を画像全体の他、一部の注目領域について可能にする場合を説明する画面の図である。図１１は、図７と同様に、複数の画像ファイルＧ，Ｈ，Ｊの画像が１頁分ずつ表示されている。この状態で、操作部４０が例えばタッチパネルである場合に、タッチパネル上をなぞって画像ファイルＨに破線で示す注目領域７１を指定すると、相関演算部２１２は、各画像に対して、当該注目領域７１に対応する画像部分について画像の異同を検査する。相関演算部２１２は、画像データＨに指示された注目領域７１のアドレス範囲に対応する他の各画像のアドレス範囲の画像データとの相関処理によって異同を検査する。図１１の例では、画像データＨには、「家」と「太陽」とが表示され、「家」の表示領域が注目領域７１として指定されている。画像データＧは「ビルディング」であるので一致していない。一方、画像データＪは「星」が表示されているが、注目領域７１に対応する範囲には同じ家が表示されている。従って、画像データＨとＪとは注目領域において同一（類似）として処理される。画像の一部領域について異同（類似性）検査を可能とすることで汎用性が向上する。
【００４９】
なお、前記各実施形態において、フォーカス位置が画面の左右端よりも外側となる列の場合には、画面を１列分だけスクロールし、あるいは次画面に切り替わる処理を採用すればよい。また、画像ファイルに属する画像は頁毎の画像に限らず、動画（ビデオ）であってもよい。
【００５０】
また、異同（類似）と判断された画像の１つに対して、例えば色補正のような画像処理乃至は加工を施した場合に、当該処理や加工の内容が、異同（類似）と判断された他の画像にも自動的に反映されるようにしてもよい。
【００５１】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５２】
１，１Ａ，１Ｂ  画像処理装置
１０，１１０，２１０  制御部
１１，１１１，２１１  表示制御部（同期処理実行手段、サムネイル画像作成手段）
１１、１１２，２１２  相関演算部（検査手段）
１３，１１３  フレーム枠制御部（同期処理実行手段）
２２０，１２０，２２０  記憶部
３０  表示部
４０  操作部
【図１】
2016122333.tif 000003
【図２】
2016122333.tif 000004
【図３】
2016122333.tif 000005
【図４】
2016122333.tif 000006
【図５】
2016122333.tif 000007
【図６】
2016122333.tif 000008
【図７】
2016122333.tif 000009
【図８】
2016122333.tif 000010
【図９】
2016122333.tif 000011
【図１０】
2016122333.tif 000012
【図１１】
2016122333.tif 000013